(57)【要約】      （修正有）【課題】吸い口ストローを収納でき、またワンタッチ操作で吸い口ストローが収納部より飛び出る飲料容器用の蓋体を提供する。【解決手段】  飲料容器の蓋体は、本体部１と開閉蓋２とからなり吸い口用ストロー３を収納する収納部を本体に配置し、容器Ａの口部Ｂに螺着する螺合部５を有する。又、収納部より突出する吸い口ストロー３と飲料容器内に挿入している吸い上げストローＣとが連結する。収納部の相対向する周壁部には開閉蓋２を開閉する１対の開閉装置が設けられている。一方、開閉蓋２の裏面には、開閉装置と係合する１対の係合部と吸い口ストロー３を収納部に押し込むときの押さえ片８Ａ−８Ｂが突設され又、吸い口ストローで吸い上げるときの通気孔９があり、これらの開閉機構が連動して機能する。【選択図】図１０
2008189385.tif 000002
【特許請求の範囲】
【請求項１】
ペットボトル等の飲料容器に対し、着脱可能に装着できる蓋体であって、開閉自在な開閉蓋を備え、本体部内にポリプロピレンなどの弾性力をもつ起立可能な吸い口ストローを設け、開閉蓋の裏面が閉蓋作動に伴って吸い口ストローを閉寒状態と同時に通気孔の穴を止める。また、吸い口ストローの長さを調節するための押さえ込む押さえ片があり、吸い口ストローを少し曲げて押さえる変形押さえ片で収納できる。尚、吸い口ストローの先  を曲げることにより、周壁部で止まることなく吸い口ストローが起立しやすくなる。開閉蓋の開蓋作動に伴って、吸い口ストローの弾力性により起立させる方法を設けたこと、又、食事中などの場合は、一旦吸い口ストローで飲料水を吸い上げた飲料水が、口の中の有機物と一緒に飲料容器内に逆流しないように、蓋体本体に逆流防止弁（シリコン樹脂等の薄い幕状で形状）を有し、衛生面にも配慮した蓋体とする。
【請求項２】
前記の内容から、飲料容器の口の直径が２ｃｍ、３ｃｍと種類が変わっても、吸い口ストローの太さを変えることで蓋体の大きさは変更できるとする。
【発明の詳細な説明】
【背景技術】
【０００１】  時代と共に生活が豊かになり、各種の飲料水が販売されている。さらに、健康ブームで天然飲料水等は、ペットボトル容器に収納され生活の必需品となっており欠かせない存在となっている。しかし、これらの容器の蓋体はネジ式であるため不便である。尚更、体の不自由な人は不都合である。
【発明が解決しようとする課題】
【０００２】  従来の技術には、ワンタッチ方式でありながら何回か使用しているうちに、吸い口ストローの先端が周壁部で止まって起立しなくなる。また、吸い口ストローから吸い上げた飲料水が有機物と一緒に逆流してペットボトルの中が濁るなど不衛生である。
【０００３】  本発明は、このような問題を解決するため開発に至った。
▲１▼吸い口ストローの先が少し曲げて収納するため、周壁部で止まることなく起立する。
▲２▼逆流防止弁で逆流を防ぐため、飲料容器内の衛生が保たれる。
【発明の効果】
【０００４】本発明に伴い必要とする人は、
▲１▼車などの運転中の安全に
▲２▼病人のベットの枕元に
▲３▼病人、介護人の利便性に
▲４▼水分を多く必要とする幼稚園児や小・中学生及び、高校生たちの成長期に対し飲料容器に装着すると便利である。
▲５▼老人の口が渇き、少し水を飲みたい時の利便性に
▲６▼夜中の枕元の飲料容器に取り付けた場合、飲料水が漏れない利便性
▲７▼知的障害者、事故などで不自由な方に
▲８▼登山の途中、片手でちょっと飲みに
▲９▼事務机での片手でちょっと飲み等に
【発明を実施するための最良の形態】
【０００５】  図１は、本発明の蓋体を飲料容器に装着した状態の斜視図を示す。
図２は、本発明の斜視図を示す。
尚、本体及び開閉蓋２の材質は、ポリプロピレン、ＡＢＳ樹脂などで成形され          る。
図３は、開閉蓋２を本体１に閉蓋した状態を示す縦断面図である。
開閉蓋２の係合部７が、開閉装置の１５に係合した状態を図示している。
図４は、本体を上側よりみた開閉装置６の縦断面図であり、開閉装置の係合部内を図示          している。解除ボタン１２の先端切り込みにより、受け口１３の穴に入り、先          が弾力で広がり固定できる。また、開閉ボタンを機能的にするためコイルスプ          リング１４が係合し、本発明の開閉装置が形成される。したがって、図３にし          めすように解除ボタン１２を押すことによって１５の部分が中側に移動し、開          閉蓋２が解除される。
図５は、本体の各係合部を示す縦断面図であり、３の吸い口ストローの取付部１８が開          閉蓋２と本体とのジョイント部１１より少しずれているのは、吸い口ストロー          の収納状態をスムーズにするためである。９は、通気孔の位置を示し、また開          閉装置６については、図４の開閉ボタン内部構造の上部に１５のフックが付き          箱形の形成になっている。
図６は、本体の開閉蓋２が開き、吸い口ストローが弾力性により起立した使用状態の縦          断面図である。吸い口ストローが起立したことにより、通気孔９の上部が解放          した状態になっている。この状態で、吸い口ストロー３でボトルＡの飲料水を          吸い上げた場合、ボトルに空気が入り飲料水は吸い上げストローＣを通り、１          ０の逆流防止弁を通り、そして本体の連結管１７．１８を通り、吸い口ストロ          ーへと流水が達成する。
尚、図面上開閉蓋２の本体とのジョイント１１は、本来は位置が違うものの          、説明上暫定的に記入してある。
図７は、開閉蓋２の裏面の吸い口ストロー３を押さえ込む押さえ片８Ａ、８Ｂが吸い口          ストローに係合する左側の状態の縦断面図である。
図８は、開閉蓋２の裏面の吸い口ストロー３を押さえ込む押さえ片８Ａ、８Ｂが吸い口          ストローに係合する右側の状態の縦断面図である。
図９は、吸い口ストローを押さえ込む開閉蓋の裏面の突起した押さえ片８Ａ、８Ｂが吸          い口ストロー３を押さえ込んでしまった状態の形成を示した縦断面図である。            また、押さえ片８Ａは８Ｃ、８Ｂは８Ｄそれぞれの位置を示している。
図１０は、開閉蓋２が本体に吸い口ストロー３を完全に収納した状態であり、また、開閉          蓋２が通気孔９の上部に吸い口ストロー３を押しあて、吸い口ストローを閉寒          状態にし、通気孔を遮断した縦断面図である。シリコン樹脂などの弾力性や柔          軟性がある合成樹脂材で形成する逆流防止弁１０を固定する１６は、ポリプロ          ピレン、ＡＢＳ樹脂などの材質でキャップ形成していて、本体の連結管１７に          ネジ込む方法で係合する。１９は、飲料容器の口部Ｂと本体との間の環状パッ          キングである。１０Ｂは、逆流防止弁に水流が加わり、弁が開いた状態の図を          示す。１０Ｃは、逆流防止弁が機能して弁が閉じた状態を図で示している。図          １に示した吸い上げストローＣは、１６のキャップの先端に係合する。
【図面の簡単な説明】
【０００６】
【図１】本発明から、飲料容器に蓋体を装着した斜視図。
【図２】本発明の上側からの斜視図。
【図３】本発明の開閉機構の左面からの縦断面図。
【図４】本発明の開閉機構内部を上面から見た縦断面図。
【図５】本発明の開閉装置と吸い口ストローとの収納状態を示す縦断面図。
【図６】本発明の開閉蓋体が開蓋した状態図。
【図７】本発明の開閉蓋体の開蓋から、少し閉蓋状態にした蓋体の左側からの縦断面図。
【図８】本発明の開閉蓋体の開蓋から、少し閉蓋状態にした蓋体の右側からの縦断面図。
【図９】本発明の開閉蓋の裏面から、２本の突起した吸い口ストロー押さえ込む片の図形とその変化を示し、また押さえ込んだ状況から位置を示す図。
【図１０】本発明の蓋体の開閉蓋を閉蓋状態にした縦断面図。
【符号の説明】
Ａ    飲料容器
Ｂ    口部
Ｃ    吸い上げストロー
１．  蓋体の本体
２．  開閉蓋
３．  吸い口ストロー
４．  収納部
５．  螺合部
６．  開閉装置
７．  開閉蓋の係合部
８Ａ．  押さえ片
８Ｂ．  押さえ片
９．  通気孔
１０．  逆流防止弁
１１．  蓋体の本体と開閉蓋とのジョイント
１２．  開閉装置、プッシュボタン
１３．  開閉装置プッシュボタン固定穴
１４．  開閉装置プッシュボタンコイルスプリング
１５．  開閉装置の係合部
１６．  逆流防止弁固定キャップ
１７．  連結管
１８．  連結管
１９．  環状パッキング
【図１】
2008189385.tif 000003
【図２】
2008189385.tif 000004
【図３】
2008189385.tif 000005
【図４】
2008189385.tif 000006
【図５】
2008189385.tif 000007
【図６】
2008189385.tif 000008
【図７】
2008189385.tif 000009
【図８】
2008189385.tif 000010
【図９】
2008189385.tif 000011
【図１０】
2008189385.tif 000012